(57)【要約】【課題】電子コンテンツの不正利用を抑制しつつ電子コンテンツを適切に表示させることが可能な端末装置、表示システム及びプログラムを提供する。【解決手段】端末装置１は、近接距離での無線通信を行う近接無線アンテナシート３の通信可能範囲ＲＣ内に存在するときは、サーバ６から受信した貸出コンテンツを表示し、通信可能範囲ＲＣ外に存在するときは、サーバ６から受信した貸出コンテンツを表示しない。【選択図】図７
2014027482.tif 000002
【特許請求の範囲】
【請求項１】
電子コンテンツを記憶するサーバと通信を行う端末装置であって、
所定の無線通信可能エリア内で前記サーバから電子コンテンツを受信する通信手段と、
前記通信手段が前記無線通信可能エリア内に存在するときは、前記サーバから受信した電子コンテンツを表示手段に表示させ、前記通信手段が前記無線通信可能エリア外に存在するときは、前記サーバから受信した電子コンテンツを前記表示手段に表示させない表示制御手段と
を有することを特徴とする端末装置。
【請求項２】
前記表示制御手段は、近接距離での無線通信を行う通信シートの無線通信可能エリア内に前記通信手段が存在するときは、前記電子コンテンツを前記表示手段に表示させ、前記通信シートの無線通信可能エリア外に前記通信手段が存在するときは、前記サーバから受信した電子コンテンツを前記表示手段に表示させないことを特徴とする請求項１に記載の端末装置。
【請求項３】
前記サーバから受信した電子コンテンツを記憶する記憶手段をさらに備え、
前記記憶手段は、前記通信手段が前記無線通信可能エリア外に所定時間以上存在する場合、前記電子コンテンツを削除することを特徴とする請求項１または２に記載の端末装置。
【請求項４】
前記表示制御手段は、前記所定時間未満の間だけ前記通信手段が前記無線通信可能エリア外に存在した後に前記無線通信可能エリア内へ移動した場合、前記記憶手段に記憶された前記電子コンテンツを前記表示手段に表示させることを特徴とする請求項３に記載の端末装置。
【請求項５】
請求項１乃至４のいずれか一項に記載の端末装置と、
前記通信手段が所定の無線通信可能エリア内に存在する場合に、前記端末装置に電子コンテンツを送信するコンテンツ送信手段を有するサーバとを備えることを特徴とする表示システム。
【請求項６】
前記サーバは、
前記電子コンテンツが表示されている画面情報の保存機能及び前記電子コンテンツの印刷機能を無効化するように前記端末装置を制御する機能制限手段を有することを特徴とする請求項５に記載の表示システム。
【請求項７】
前記サーバは、記憶した電子コンテンツの閲覧予約を受け付ける閲覧予約受付手段を有し、
前記端末装置の前記表示制御手段は、
閲覧予約した電子コンテンツのリストを前記サーバから受信して当該リストを前記表示手段に表示させると共に、前記リストから外部入力に基づき指定された電子コンテンツを前記サーバに要求することを特徴とする請求項５または６に記載の表示システム。
【請求項８】
前記コンテンツ送信手段は、前記電子コンテンツを、ファイルとして保存できない設定にして前記端末装置に送信することを特徴とする請求項５乃至７のいずれか一項に記載の表示システム。
【請求項９】
請求項１乃至７のいずれか一項に記載の端末装置として機能させることを特徴とするプログラム。
【発明の詳細な説明】
【技術分野】
【０００１】
本発明は、電子コンテンツの表示を制御する技術に関する。
【背景技術】
【０００２】
従来から、申込みを端末への入力に基づき電子的に行うことが可能なシステムが提案されている。例えば、特許文献１には、インターネットを用いた電子図書の貸し出しシステムが開示されている。また、特許文献２には、遠隔会議システムにおいて、遠隔側端末から受信した遠隔操作コマンドを受信した場合に、会議側端末の向きを変更する端末設置台が開示されている。また、非特許文献１及び特許文献３には、所謂二次元通信が可能な通信シートが開示されている。
【先行技術文献】
【特許文献】
【０００３】
【特許文献１】特開２００８−２６２５１８号公報
【特許文献２】特開２０１２−００４７７８号公報
【特許文献３】国際公開第２００７／０３２０４９号
【非特許文献】
【０００４】
【非特許文献１】”二次元通信＠ＣＥＬＬ技術資料＃１基本原理”、［平成２４年７月２日検索］、インターネット〈ＵＲＬ：http://www.cellcross.co.jp/pdf_doc/technical/td_1_principle.pdf〉
【発明の概要】
【発明が解決しようとする課題】
【０００５】
図書館で電子図書などの電子コンテンツを端末上で見るのを許可する場合、電子コンテンツの著作権保護の観点等から、電子コンテンツのデータの不正な持ち出しを防止したり、電子コンテンツの利用を制限したりする必要が生じる。そこで、本発明は、電子コンテンツの不正利用を抑制しつつ電子コンテンツを適切に表示させることが可能な端末装置、表示システム及びプログラムを提供することを主な目的とする。
【課題を解決するための手段】
【０００６】
本発明に係る端末装置は、電子コンテンツを記憶するサーバと通信を行う端末装置であって、所定の無線通信可能エリア内で前記サーバから電子コンテンツを受信する通信手段と、前記通信手段が前記無線通信可能エリア内に存在するときは、前記サーバから受信した電子コンテンツを表示手段に表示させ、前記通信手段が前記無線通信可能エリア外に存在するときは、前記サーバから受信した電子コンテンツを前記表示手段に表示させない表示制御手段とを有する。
【０００７】
上記端末装置は、電子コンテンツを記憶するサーバと通信を行う端末装置であって、通信手段と、表示制御手段とを有する。通信手段は、所定の無線通信可能エリア内でサーバから電子コンテンツを受信する。表示制御手段は、通信手段が無線通信可能エリア内に存在するときは、サーバから受信した電子コンテンツを表示手段に表示させ、通信手段が無線通信可能エリア外に存在するときは、サーバから受信した電子コンテンツを表示手段に表示させない。この態様により、端末装置は、サーバから受信した電子コンテンツを表示させるエリアを限定し、電子コンテンツの不正利用を好適に抑制することができる。
【０００８】
上記端末装置の一態様では、前記表示制御手段は、近接距離での無線通信を行う通信シートの無線通信可能エリア内に前記通信手段が存在するときは、前記電子コンテンツを前記表示手段に表示させ、前記通信シートの無線通信可能エリア外に前記通信手段が存在するときは、前記サーバから受信した電子コンテンツを前記表示手段に表示させない。この態様により、端末装置は、サーバから受信した電子コンテンツを表示させるエリアを、通信シートの近傍エリアに好適に限定し、電子コンテンツの不正利用を好適に抑制することができる。
【０００９】
上記端末装置の他の一態様では、前記サーバから受信した電子コンテンツを記憶する記憶手段をさらに備え、前記記憶手段は、前記通信手段が前記無線通信可能エリア外に所定時間以上存在する場合、前記電子コンテンツを削除する。この態様により、端末装置は、電子コンテンツの不正な持ち出しを好適に抑制することができる。
【００１０】
上記端末装置の他の一態様では、前記所定時間未満の間だけ前記通信手段が前記無線通信可能エリア外に存在した後に前記無線通信可能エリア内へ移動した場合、前記記憶手段に記憶された前記電子コンテンツを前記表示手段に表示させる。この態様により、端末装置は、不正の目的なく無線通信可能エリア外に一時的に移動した場合に、再度電子コンテンツをサーバから受信する処理負担を抑制し、即時に電子コンテンツを表示することができる。
【００１１】
本発明に係る表示システムの一態様では、上記いずれか記載の端末装置と、前記通信手段が所定の無線通信可能エリア内に存在する場合に、前記端末装置に電子コンテンツを送信するコンテンツ送信手段を有するサーバとを備える。この態様により、表示システムは、電子コンテンツを端末装置が受信して表示させるエリアを、好適に限定し、電子コンテンツの不正利用を好適に抑制することができる。
【００１２】
上記表示システムの一態様では、前記サーバは、前記電子コンテンツが表示されている画面情報の保存機能及び前記電子コンテンツの印刷機能を無効化するように前記端末装置を制御する機能制限手段を有する。この態様により、表示システムは、好適に、電子コンテンツの著作権を保護し、不正利用を抑制することができる。
【００１３】
上記表示システムの他の一態様では、前記サーバは、記憶した電子コンテンツの閲覧予約を受け付ける閲覧予約受付手段を有し、前記端末装置の前記表示制御手段は、閲覧予約した電子コンテンツのリストを前記サーバから受信して当該リストを前記表示手段に表示させると共に、前記リストから外部入力に基づき指定された電子コンテンツを前記サーバに要求する。この態様により、表示システムは、閲覧予約された電子コンテンツをユーザの意図に基づき端末装置に好適に供給することができる。
【００１４】
上記表示システムの他の一態様では、前記コンテンツ送信手段は、前記電子コンテンツを、ファイルとして保存できない設定にして前記端末装置に送信する。この態様により、表示システムは、電子コンテンツの複製を抑制することができる。
【００１５】
本発明に係るプログラムは、上記記載のいずれか一つの端末装置として機能させる。これらのプログラムを端末装置にインストールして機能させることで、本発明に係る端末装置を構成させることができる。
【発明の効果】
【００１６】
本発明によれば、端末装置は、無線通信可能エリア内に存在するときは、サーバから受信した電子コンテンツを表示手段に表示させ、無線通信可能エリア外に存在するときは、サーバから受信した電子コンテンツを表示手段に表示させない。これにより、端末装置は、サーバから受信した電子コンテンツを表示させるエリアを限定し、電子コンテンツの不正利用を好適に抑制することができる。
【図面の簡単な説明】
【００１７】
【図１】第１実施形態に係る表示システムの構成を示す。
【図２】端末装置の正面図及び側面図を示す。
【図３】端末装置の機能ブロック図である。
【図４】サーバ装置の機能ブロック図である。
【図５】近接無線アンテナシートの通信可能範囲内に存在する場合の端末装置を示す。
【図６】近接無線アンテナシートの通信可能範囲外に存在する場合の端末装置を示す。
【図７】端末装置及びサーバが実行する処理手順を示すフローチャートである。
【図８】閲覧予約リスト画面を表示した端末装置の正面図である。
【図９】（Ａ）コンテンツ表示画面を表示した端末装置の正面図である。（Ｂ）コンテンツ非表示画面を表示した端末装置の正面図である。
【図１０】第２実施形態に係る表示システムの構成を示す。
【図１１】端末用スタンドの側面図である。
【図１２】（Ａ）傾き角を鈍角に設定した場合の端末用スタンドを示す。（Ｂ）傾き角を鋭角に設定した場合の端末用スタンドを示す。
【図１３】傾き角を鈍角に設定した状態で端末装置を保持した端末用スタンドを示す。
【図１４】傾き角を鋭角に設定した状態で端末装置を保持した端末用スタンドを示す。
【発明を実施するための形態】
【００１８】
以下、図面を参照しながら、本発明を実施するのに好適な実施形態について説明する。以下に説明する表示システムは、図書館内で一時的にダウンロードされた電子書籍のコンテンツ（「貸出コンテンツ」とも呼ぶ。）を表示するシステムであって、当該貸出コンテンツを表示可能なエリアを制限して貸出コンテンツの不正利用等を好適に抑制する。
【００１９】
＜第１実施形態＞
［表示システムの構成］
図１は、第１実施形態に係る表示システムの構成を示す。図１に示すように、表示システムは、図書館を利用する個人が所有する端末装置１と、近接無線アンテナシート３と、通信変換器４と、サーバ６の管理を行う管理端末５と、端末装置１の要求に応じて電子書籍の貸出コンテンツを送信するサーバ６とを備える。通信変換器４、管理端末５及びサーバ６は、ネットワークハブ７を介して同一のＬＡＮ内において接続する。以下、各構成要素について説明する。
【００２０】
（近接無線アンテナシート及び通信変換器）
近接無線アンテナシート（通信シート）３は、所謂二次元通信が可能なシートであって、端末装置１が近接した場合に、端末装置１と通信変換器４との間で相互に送出される無線信号を他方に伝達させる。近接無線アンテナシート３の表面及びその近傍には電磁波（エバネッセント波）が滲み出ている。そして、近接無線アンテナシート３は、上から順にメッシュ層と、誘電層と、シールド層とを有し、メッシュ層のメッシュ間隔と誘電層の比誘電率によって出力される電磁波の量が制御される。そして、近接無線アンテナシート３は、上述の電磁波を介して端末装置１及び通信変換器４と無線信号の通信を行う。
【００２１】
通信変換器４は、二次元通信において用いられるカプラとして機能し、無線信号を近接無線アンテナシート３内に供給する。さらに、通信変換器４は、無線ＬＡＮルータ又は無線ＬＡＮアクセスポイントとして機能し、端末装置１が接続する無線ＬＡＮの信号と、サーバ６及びネットワークハブ７が接続する有線ＬＡＮの信号とを相互変換する。
【００２２】
（端末装置）
次に、端末装置１について説明する。図２は、端末装置１の正面図及び側面図を示す。図２に示すように、端末装置１は、例えばｉＰａｄ（登録商標）などのタブレットＰＣであって、ディスプレイ１０１と、電源スイッチ１０２と、無線通信アンテナ１０３とを有する。なお、端末装置１は、無線通信可能なノートパソコンであってもよい。
【００２３】
ディスプレイ１０１は、タッチパネル１０５が積層されたディスプレイであって、電子書籍の貸出コンテンツを表示したり、予め図書館で見る貸出コンテンツをユーザが予約した場合の予約した貸出コンテンツのリスト（「閲覧予約リスト」とも呼ぶ。）を表示したりする。電源スイッチ１０２は、端末装置１の電源のオン及びオフを切り替えるスイッチである。無線通信アンテナ１０３は、無線通信が可能なアンテナであって、近接無線アンテナシート３から滲みだした電磁波（エバネッセント波）に基づき無線信号を受信する。無線通信アンテナ１０３は、図２の端末装置１の側面図では、端末装置１の上部に位置する部分に配置されている。
【００２４】
図３は、端末装置１の機能ブロック図である。図３に示すように、端末装置１は、機能的には、電源スイッチ１０２やディスプレイ１０１に積層されたタッチパネル１０５などの入力手段１１、無線通信アンテナ１０３などの通信手段１２、記憶手段１３、処理手段１４、ディスプレイ１０１などの表示手段１６等により構成される。
【００２５】
処理手段１４は、ＣＰＵ等のプロセッサによって構成され、端末装置１の全体の制御を行う。処理手段１４は、通信可能判定手段１４１と、表示制御手段１４２と、記憶制御手段１４３とを備える。
【００２６】
通信可能判定手段１４１は、無線通信アンテナ１０３が近接無線アンテナシート３を介した無線通信が可能な範囲（単に「通信可能範囲ＲＣ」とも呼ぶ。）内に存在するか、又は、通信可能範囲ＲＣ外に存在するかを判定する。この場合、通信可能判定手段１４１は、無線通信を行うのに十分な電磁波が近接無線アンテナシート３から届いているか否かを判定することで、無線通信アンテナ１０３が通信可能範囲ＲＣ内か否かを判定する。そして、通信可能判定手段１４１は、無線通信アンテナ１０３が通信可能範囲ＲＣ内か否かの判定結果を表示制御手段１４２に供給する。
【００２７】
表示制御手段１４２は、無線通信アンテナ１０３を介してサーバ６から受信した表示情報に基づき、所定の画面をディスプレイ１０１に表示させる。例えば、表示制御手段１４２は、ユーザの入力に基づき、サーバ６から提示された閲覧予約リストをディスプレイ１０１に表示させ、閲覧予約リストから選択されサーバ６から受信した貸出コンテンツをディスプレイ１０１に表示させる。このとき、表示制御手段１４２は、無線通信アンテナ１０３が通信可能範囲ＲＣ内である場合に限り、貸出コンテンツをディスプレイ１０１に表示させる。そして、表示制御手段１４２は、無線通信アンテナ１０３が通信可能範囲ＲＣ外である場合には、貸出コンテンツをディスプレイ１０１に表示させない。このディスプレイ１０１の表示制御については、［表示画面の切替］のセクションで詳しく説明する。
【００２８】
また、表示制御手段１４２は、貸出コンテンツを表示している間、当該貸出コンテンツの保存機能を無効化する。例えば、表示制御手段１４２は、貸出コンテンツを表示手段１４に表示させている間、保存を指示するメニュー等を表示できないようにしたり、当該メニュー等を非アクティブ状態にして選択できないようにしたりすることで、貸出コンテンツをファイルとして保存できないようにする。
【００２９】
記憶制御手段１４３は、サーバ６から送信された貸出コンテンツのデータを、表示手段１４に表示させるために一時的に記憶手段１３に記憶させる。そして、記憶制御手段１４３は、所定時間だけ通信可能範囲ＲＣ外の状態が継続した場合や、貸出コンテンツの表示を終了する旨の操作を検出した場合、当該貸出コンテンツのデータを記憶手段１３から削除する。
【００３０】
記憶手段１３は、ＲＯＭやＲＡＭといったメモリによって構成される。例えば、記憶手段１３は、記憶制御手段１４３の制御に基づき、貸出コンテンツを一時的に記憶する。
【００３１】
（サーバ）
次に、サーバ６について説明する。サーバ６は、ハードウェアとして、データ通信が可能な通信装置、ＣＰＵ等のプロセッサ、ＲＯＭやＲＡＭといったメモリなどを備える。
【００３２】
図４は、サーバ６の機能ブロック図である。図４に示すように、サーバ６は、機能的には、通信手段６２、記憶手段６３、及び処理手段６４等により構成される。
【００３３】
通信手段６２は、処理手段６４の制御に基づき、端末装置１及び管理端末５とＬＡＮを介した通信を行う。記憶手段６３は、ＲＯＭやＲＡＭといったメモリによって構成される。記憶手段６３は、ユーザデータベース（以後では、「データベース」を単に「ＤＢ」と表記する。）６３１と、電子書籍ＤＢ６３２とを有する。ユーザＤＢ６３１は、図書館の利用登録を行ったユーザに関する情報が記憶されたデータベースである。例えば、ユーザＤＢ６３１には、ユーザの識別情報であるユーザＩＤと、今までに閲覧した貸出コンテンツ及びその日時に関する閲覧履歴と、閲覧予約がされている貸出コンテンツ（「閲覧予約コンテンツ」とも呼ぶ。）の識別情報とが記憶されている。電子書籍ＤＢ６３２は、貸出コンテンツを、当該貸出コンテンツの名称、出版社名、著者などの関連情報と共に記憶する。また、記憶手段６３は、通信変換器４に付与されたＩＰアドレスなどの通信アドレス情報を記憶する。
【００３４】
処理手段６４は、閲覧予約受付手段６４１と、コンテンツ送信手段６４２と、機能制限手段６４３とを有する。閲覧予約受付手段６４１は、ユーザＩＤやパスワードによる認証を行った後、閲覧予約する貸出コンテンツを選択する画面の表示情報を端末装置１に送信する。そして、閲覧予約受付手段６４１は、端末装置１が表示する画面において入力された検索のキーワードや貸出コンテンツの識別番号などに基づいて、電子書籍ＤＢ６３２から該当する貸出コンテンツを抽出する。そして、閲覧予約受付手段６４１は、抽出した貸出コンテンツの情報を端末装置１に送信し、検索結果を表示させる。そして、閲覧予約受付手段６４１は、端末装置１から閲覧予約を指示する情報を受信した場合、閲覧予約の指定があった貸出コンテンツの識別情報を、対象のユーザＩＤに関連付けてユーザＤＢ６３１に記憶させる。また、閲覧予約受付手段６４１は、端末装置１の要求に応じて閲覧予約リストの表示画面の情報を端末装置１に送信する。なお、ユーザによる閲覧予約の操作自体は、端末装置１からインターネットを介して、図書館のＬＡＮシステム外からサーバ６にアクセスすることで行うことも、図書館のＬＡＮシステム内からサーバ６にアクセスすることで行うこともできる。
【００３５】
コンテンツ送信手段６４２は、閲覧予約リストから選択された貸出コンテンツを電子書籍ＤＢ６３２から抽出し、端末装置１に送信する。このとき、コンテンツ送信手段６４２は、端末装置１が近接無線アンテナシート３及び通信変換器４を経由してサーバ６と通信を行っている場合に限り、貸出コンテンツを端末装置１に送信する。例えば、コンテンツ送信手段６４２は、端末装置１の送信データのヘッダに含まれる送信元ＩＰアドレスや送信元ＭＡＣアドレスなどの送信元アドレス情報と、記憶手段６３に記憶された通信変換器４の通信アドレス情報とを比較することで、端末装置１が近接無線アンテナシート３及び通信変換器４を経由して通信しているか否か判定する。
【００３６】
機能制限手段６４３は、端末装置１が貸出コンテンツを表示している間、送信した貸出コンテンツに対する印刷機能及びＰｒｉｎｔＳｃｒｅｅｎキーによる画面情報の保存機能を無効にするように端末装置１を制御する。また、機能制限手段６４３は、コンテンツ送信手段６４２が送信する貸出コンテンツを、端末装置１がファイルとして保存できない設定にする。
【００３７】
その他、処理手段６４は、インターネットと接続する端末装置１の通信を監視し、端末装置１が有害サイトへアクセスするのを制限する。また、処理手段６４は、インターネットからの不正なアクセスの有無を監視し、不正アクセスがあった場合にはその通信を遮断する。また、処理手段６４は、端末装置１がダウンロードした貸出コンテンツの情報や日時情報などを含む履歴情報を記憶手段６３のユーザＤＢ６３１に記憶する。
【００３８】
（管理端末）
管理端末５は、ハードウェアとして、サーバ６とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。管理端末５は、統一したポリシーの下に、端末装置１などの個人用端末を一元管理する。例えば、管理端末５は、サーバ６が記憶した履歴情報を集計して不正利用がないか確認したり、個人用端末における所定のアプリケーションの起動を制限して不正利用を防止したりする。また、管理端末５は、貸出コンテンツの発注処理を行ったり、新たに納入された貸出コンテンツの電子書籍ＤＢ６３２への登録作業を行ったりする。
【００３９】
［通信可能範囲］
次に、近接無線アンテナシート３との位置関係に基づく無線通信アンテナ１０３の通信可否の変化について、図５及び図６を参照して説明する。
【００４０】
図５は、近接無線アンテナシート３から滲みだした電磁波に基づく通信可能範囲ＲＣ内に端末装置１が存在する状態を示す図であり、図６は、通信可能範囲ＲＣ外に端末装置１が存在する状態を示す図である。
【００４１】
図５に示すように、端末装置１が近接無線アンテナシート３の上方に近接する場合、無線通信アンテナ１０３は、通信可能範囲ＲＣ内となる。この場合、端末装置１は、サーバ６と通信可能状態となり、ユーザの操作に基づきサーバ６から貸出コンテンツを受信して当該貸出コンテンツを表示する。
【００４２】
一方、図６に示すように、端末装置１が近接無線アンテナシート３から離れた場合、無線通信アンテナ１０３は、通信可能範囲ＲＣ外となる。この場合、端末装置１は、サーバ６と通信することができず、ユーザの操作に基づきサーバ６から貸出コンテンツを受信することができない。また、端末装置１は、既にサーバ６から貸出コンテンツをダウンロードしていた場合であっても、当該貸出コンテンツを表示させない。このように、端末装置１は、貸出コンテンツを表示させる端末装置１の位置を通信可能範囲ＲＣ内に制限することで、貸出コンテンツが不正に持ち出されたり、表示した貸出コンテンツが閲覧予約者以外の者に覗き見されたりするのを防止する。
【００４３】
［表示画面の切替］
次に、表示制御手段１４２が実行するディスプレイ１０１の表示画面の切り替え制御について、図７のフローチャートを参照して説明する。
【００４４】
図７は、端末装置１及びサーバ６が実行する処理手順を示すフローチャートである。図７の実線矢印は各装置における処理の流れを示し、破線矢印は装置間のデータの流れを示す。端末装置１は、図７に示す処理フローを、閲覧予約リストを表示すべき旨の入力を検知した場合に実行する。なお、図７のステップＳ１０１からステップＳ１０５までは、端末装置１の無線通信アンテナ１０３は、近接無線アンテナシート３の通信可能範囲ＲＣ内に存在し、サーバ６と通信が可能な状態であるものとする。
【００４５】
まず、端末装置１のユーザは、端末装置１を近接無線アンテナシート３の通信可能範囲ＲＣ内に移動させ、閲覧予約リストを表示すべき旨の入力を端末装置１に対して行う。この場合、端末装置１の表示制御手段１４２は、閲覧予約リストを表示すべき旨の入力を検知し、閲覧予約リストを表示するのに必要な表示情報を要求する信号をサーバ６へ送信する（ステップＳ１０１）。この場合、表示制御手段１４２は、上述の要求信号に、ユーザＩＤ及びパスワードを付して送信する。
【００４６】
次に、サーバ６の閲覧予約受付手段６４１は、端末装置１から受信した要求信号に含まれるユーザＩＤ及びパスワードに基づきユーザ認証を行い、受信したユーザＩＤに関連付けられてユーザＤＢ６３１に記憶された閲覧予約コンテンツの情報を抽出する（ステップＳ２０１）。そして、閲覧予約受付手段６４１は、ステップＳ２０１で抽出した閲覧予約コンテンツの情報に基づき、閲覧予約リストを含む画面（「閲覧予約リスト画面」とも呼ぶ。）の表示情報を生成し、当該表示情報を端末装置１へ送信する（ステップＳ２０２）。
【００４７】
そして、端末装置１の表示制御手段１４２は、サーバ６から閲覧予約リスト画面の表示情報を受信し、当該表示情報に基づき閲覧予約リスト画面を表示する（ステップＳ１０２）。閲覧予約リスト画面については、図８を参照して後述する。
【００４８】
次に、表示制御手段１４２は、電子書籍の貸出コンテンツの要求信号をサーバ６に送信する（ステップＳ１０３）。具体的には、表示制御手段１４２は、閲覧予約リスト画面の閲覧予約リストからユーザが閲覧したい閲覧予約コンテンツを指定させ、指定された閲覧予約コンテンツの識別情報をサーバ６に送信する。
【００４９】
次に、貸出コンテンツの要求信号を受信したサーバ６のコンテンツ送信手段６４２は、上述の要求信号を送信した端末装置１の通信場所の認証を行う（ステップＳ２０３）。具体的には、コンテンツ送信手段６４２は、端末装置１が近接無線アンテナシート３及び通信変換器４を介してサーバ６と通信を行っていることを、上述の要求信号の通信データに付されたヘッダの送信元ＩＰアドレス等を参照して認証する。
【００５０】
次に、端末装置１の通信場所の認証後、コンテンツ送信手段６４２は、貸出コンテンツを送信する前に、プリントスクリーン機能及び印刷機能の無効化を行う旨の指示信号を端末装置１に対して送信する（ステップＳ２０４）。この場合、端末装置１の表示制御手段１４２は、上述の指示信号を受信し、当該指示信号に基づき、プリントスクリーン機能及び印刷機能の無効化を行う（ステップＳ１０４）。プリントスクリーン機能の無効化では、表示制御手段１４２は、ＰｒｉｎｔＳｃｒｅｅｎキーが選択された際のクリップボードへの画面情報の記憶を禁止してもよく、ＰｒｉｎｔＳｃｒｅｅｎキーの割り込みを無効化してもよい。
【００５１】
次に、コンテンツ送信手段６４２は、要求信号に含まれる閲覧予約コンテンツの識別情報に基づき、電子書籍ＤＢ６３２から対象となる貸出コンテンツを抽出し、当該貸出コンテンツを端末装置１へ送信する（ステップＳ２０５）。この場合、コンテンツ送信手段６４２は、対象の貸出コンテンツを、ファイルとして保存できない設定にして端末装置１へ送信する。即ち、コンテンツ送信手段６４２は、端末装置１が対象の貸出コンテンツを表示することのみを許可する設定にして、当該貸出コンテンツを端末装置１へ送信する。その後、サーバ装置６は、ステップＳ２０１で認証したユーザがステップＳ２０５で送信した貸出コンテンツを閲覧した旨の履歴情報を生成する（ステップＳ２０６）。
【００５２】
次に、ステップＳ１０５では、端末装置１の表示制御手段１４２は、サーバ６から受信した貸出コンテンツを表示した画面（「コンテンツ表示画面」とも呼ぶ。）を、ディスプレイ１０１に表示させる（ステップＳ１０５）。コンテンツ表示画面例については、図９（Ａ）を参照して後述する。この場合、端末装置１は、プリントスクリーン機能に基づく画面情報の保存、表示中の貸出コンテンツの印刷及びファイルとしての保存等を実行することができない。
【００５３】
次に、通信可能判定手段１４１は、無線通信アンテナ１０３が通信可能範囲ＲＣ内であるか否か判定する（ステップＳ１０６）。具体的には、通信可能判定手段１４１は、通信を行うのに十分な電磁波が近接無線アンテナシート３から無線通信アンテナ１０３に届いているか否か判定する。そして、無線通信アンテナ１０３が通信可能範囲ＲＣ内である場合（ステップＳ１０６；Ｙｅｓ）、表示制御手段１４２は引き続きコンテンツ表示画面をディスプレイ１０１に表示させる（ステップＳ１０７）。そして、表示制御手段１４２は、貸出コンテンツの表示を終了する旨の入力を検知した場合（ステップＳ１０８；Ｙｅｓ）、表示中の貸出コンテンツのデータを記憶手段１３から削除する（ステップＳ１０９）。そして、表示制御手段１４２は、ステップＳ１０４で無効にしたプリントスクリーン機能及び印刷機能を有効にする（ステップＳ１１０）。一方、表示制御手段１４２は、貸出コンテンツの表示を終了する旨の入力を検知しない場合（ステップＳ１０８；Ｎｏ）、ステップＳ１０６へ処理を戻す。
【００５４】
一方、ステップＳ１０６で、無線通信アンテナ１０３が通信可能範囲ＲＣ外である場合（ステップＳ１０６；Ｎｏ）、表示制御手段１４２は、貸出コンテンツを非表示にする（ステップＳ１１１）。そして、この場合、表示制御手段１４２は、貸出コンテンツを表示することができない旨を示す画面（「コンテンツ非表示画面」とも呼ぶ。）をディスプレイ１０１に表示させる。コンテンツ非表示画面については、図９（Ｂ）を参照して後述する。
【００５５】
次に、表示制御手段１４２は、ステップＳ１１１で貸出コンテンツを非表示にしてから所定時間が経過したか否かを判定する（ステップＳ１１２）。上述の所定時間は、端末装置１に記憶された貸出コンテンツの不正な持ち出しを抑制する観点から設けられた閾値であり、例えば５分に設定される。
【００５６】
そして、貸出コンテンツを非表示にしてから所定時間が経過した場合（ステップＳ１１２；Ｙｅｓ）、表示制御手段１４２は、貸出コンテンツのデータ削除を行う（ステップＳ１０９）。これにより、端末装置１に記憶された貸出コンテンツの不正な持ち出しを好適に抑制することができる。一方、貸出コンテンツを非表示にしてから所定時間が経過していない場合（ステップＳ１１２；Ｎｏ）、通信可能判定手段１４１は、再びステップＳ１０６へ処理を戻し、無線通信アンテナ１０３が通信可能範囲ＲＣ内になった否かの判定を行う。
【００５７】
［表示画面例］
次に、表示制御手段１４２がディスプレイ１０１に表示させる表示画面について説明する。
【００５８】
（１）閲覧予約リスト画面
図８は、図７のステップＳ１０２において閲覧予約リスト画面を表示した端末装置１の正面図である。図８に示すように、表示制御手段１４２は、閲覧予約リスト画面に、無線通信アンテナ１０３が通信可能範囲ＲＣ内であることを示す圏内マーク４０と、ユーザＩＤである会員番号「１２３４５６７」及び氏名「山田太郎」を表示したユーザ情報表示エリア４１と、閲覧予約リストを表示する閲覧予約リスト表示エリア４２とを表示させる。
【００５９】
図８の例では、表示制御手段１４２は、閲覧予約リストとして、題名「走れるまで走れ！」の閲覧予約コンテンツを示すコンテンツ表示欄４３Ａと、題名「週刊○○」の閲覧予約コンテンツを示すコンテンツ表示欄４３Ｂと、題名「家庭菜園」の閲覧予約コンテンツを示すコンテンツ表示欄４３Ｃとを並べて表示している。ここで、コンテンツ表示欄４３Ａ〜４３Ｃは、タッチパネル１０５への操作などにより選択可能であり、表示制御手段１４２は、選択されたコンテンツ表示欄に対応する閲覧予約コンテンツを、サーバ６に対して要求する（図７のステップＳ１０３参照）。
【００６０】
（２）コンテンツ表示画面
図９（Ａ）は、図７のステップＳ１０５及びステップＳ１０７においてコンテンツ表示画面を表示した端末装置１の正面図を示す。ここでは、表示制御手段１４２は、図８に示す閲覧予約リスト画面でコンテンツ表示欄４３Ｃが選択されたことを検知し、題名「家庭菜園」の閲覧予約コンテンツを表示したコンテンツ表示画面をディスプレイ１０１に表示させている。
【００６１】
図９（Ａ）に示すように、表示制御手段１４２は、コンテンツ表示画面に、通信可能範囲ＲＣ内であることを示す圏内マーク４０と、ダウンロードされた貸出コンテンツを表示するコンテンツ表示エリア４４と、操作ボタン４５Ａ〜４５Ｃとを表示させる。図９（Ａ）では、表示制御手段１４２は、題名「家庭菜園」の閲覧予約コンテンツの第２１頁をコンテンツ表示エリア４４に表示させている。そして、表示制御手段１４２は、操作ボタン４５Ａがタッチパネル１０５への操作などにより選択された場合、コンテンツ表示エリア４４に表示させる貸出コンテンツの頁を１頁分戻す。また、表示制御手段１４２は、操作ボタン４５Ｂが選択された場合、コンテンツ表示エリア４４に表示させる貸出コンテンツの頁を１頁分進める。表示制御手段１４２は、操作ボタン４５Ｃが選択された場合、貸出コンテンツの表示を終了する（図７のステップＳ１０８参照）。
【００６２】
また、図９（Ａ）のコンテンツ表示画面では、表示制御手段１４２は、貸出コンテンツをファイルとして保存するボタン及び印刷を指示するボタンを表示させず、かつ、プリントスクリーン機能を無効化している（図７のステップＳ１０４参照）。
【００６３】
（３）コンテンツ非表示画面
図９（Ｂ）は、ステップＳ１１１においてコンテンツ非表示画面を表示した端末装置１の正面図を示す。図９（Ｂ）に示すコンテンツ非表示画面では、表示制御手段１４２は、通信可能範囲ＲＣ外であることを示す圏外マーク４５を表示すると共に、「データ持ち出し防止のため、電子書籍を表示できません」と貸出コンテンツを表示できない旨を表示している。このように、表示制御手段１４２は、近接無線アンテナシート３の通信可能範囲ＲＣ外に端末装置１をユーザが持ち出した場合に、貸出コンテンツを非表示にすることで、閲覧場所を好適に制限することができる。
【００６４】
また、表示制御手段１４２は、通信可能範囲ＲＣ外となってから所定時間内に通信可能範囲ＲＣ内に再び端末装置１が移動した場合、再びサーバ６から貸出コンテンツを受信することなく、記憶手段１３に記憶された貸出コンテンツをコンテンツ表示画面に表示する（図７のステップＳ１１２及びステップＳ１０７参照）。これにより、表示制御手段１４２は、サーバに不要な処理負担をかけるのを抑制しつつ、即時にコンテンツ表示画面を再表示させることができる。
【００６５】
また、記憶制御手段１４３は、通信可能範囲ＲＣ外となってから所定時間以上経過した場合、サーバ６から受信した貸出コンテンツのデータ削除を行う（図７のステップＳ１１２及びステップＳ１０９参照）。これにより、記憶制御手段１４３は、近接無線アンテナシート３から離れた端末装置１内に貸出コンテンツのデータが残存するのを防ぎ、貸出コンテンツの持ち出しを確実に抑制する。
【００６６】
［第１実施形態の表示システムによる作用効果］
第１実施形態の表示システムによれば、端末装置１は、近接距離での無線通信を行う近接無線アンテナシート３の通信可能範囲ＲＣ内に存在するときは、サーバ６から受信した貸出コンテンツを表示し、通信可能範囲ＲＣ外に存在するときは、サーバ６から受信した貸出コンテンツを表示しない。これにより、表示システムは、貸出コンテンツを表示させるエリアを、近接無線アンテナシート３の近傍エリアに好適に限定し、貸出コンテンツの不正利用を好適に抑制することができる。
【００６７】
また、端末装置１は、通信可能範囲ＲＣ外となってから所定時間以上経過した場合、サーバ６から受信した貸出コンテンツを記憶手段１３から削除する。これにより、端末装置１は、近接無線アンテナシート３から離れた端末装置１内に貸出コンテンツのデータが残存するのを防ぎ、貸出コンテンツの持ち出しを確実に抑制することができる。
【００６８】
また、端末装置１は、通信可能範囲ＲＣ外となってから所定時間内に通信可能範囲ＲＣ内に再び端末装置１が移動した場合、再びサーバ６から貸出コンテンツを受信することなく、記憶手段１３に記憶された貸出コンテンツを表示する。これにより、端末装置１は、サーバに不要な処理負担をかけるのを抑制しつつ、即時にコンテンツ表示画面を表示させることができる。
【００６９】
［変形例］
次に、第１実施形態の変形例について説明する。以下の変形例は、任意に組み合わせて上述の第１実施形態に適用してもよい。
【００７０】
（変形例１）
図７のステップＳ１０７及びステップＳ１１１で表示及び非表示の対象となる貸出コンテンツは、電子書籍のコンテンツに限定されない。これに代えて、又はこれに加え、表示制御手段１４２は、例えば動画などの電子書籍以外のコンテンツの表示及び非表示を、無線通信アンテナ１０３が通信可能範囲ＲＣ内か否かで切り替えてもよい。この場合であっても、端末装置１は、貸出コンテンツを表示するエリアを好適に制限し、かつ、貸出コンテンツの持ち出し等を抑制することができる。
【００７１】
（変形例２）
図１に示す表示システムは、一例であり、本発明が適用可能な表示システムの構成は、図１に示す構成に限定されない。例えば、表示システムは、近接無線アンテナシート３及び通信変換器４に代えて、端末装置１の図書館内での無線通信を可能にする無線ＬＡＮアクセスポイント又は無線ＬＡＮルータを有してもよい。
【００７２】
この構成では、上述の無線ＬＡＮアクセスポイント又は無線ＬＡＮルータの通信可能範囲内となる図書館内に存在する場合に限り、端末装置１は、コンテンツ表示画面を表示し、上述の無線ＬＡＮアクセスポイント又は無線ＬＡＮルータの通信可能範囲外となる図書館外に存在する場合には、コンテンツ非表示画面を表示する。また、サーバ６は、上述の無線ＬＡＮアクセスポイント又は無線ＬＡＮルータを介して端末装置１が通信している場合に限り、指定された貸出コンテンツを端末装置１へ送信する。
【００７３】
この場合であっても、好適に、端末装置１は、貸出コンテンツを表示するエリアを図書館内に制限し、かつ、図書館からの貸出コンテンツのデータ持ち出し等を好適に抑制することができる。
【００７４】
（変形例３）
端末装置１への入力操作は、タッチパネル１０５への操作に限定されず、端末装置１がマウスを有する場合には、マウスのクリック操作であってもよい。
【００７５】
＜第２実施形態＞
次に、第２実施形態について説明する。図１０は、第２実施形態に係る表示システムの概略構成である。第２実施形態に係る表示システムは、近接無線アンテナシート３上に常設された端末装置１Ａと、端末装置１Ａを保持した状態で端末装置１Ａを通信可能範囲ＲＣの内外へ移動させることが可能な端末用スタンド２とを有する点で、第１実施形態と異なる。第２実施形態と第１実施形態とで同様の点については、適宜その説明を省略する。
【００７６】
まず、端末用スタンド（設置台）２について、図１１を参照して説明する。図１１は、端末用スタンド２の側面図である。図１１に示すように、端末用スタンド２は、端末保持部２０と、略円盤状の土台部２１と、第１〜第３アーム２２Ａ〜２２Ｃと、第１、第２回動支持部２３Ａ、２３Ｂとを有する。
【００７７】
端末保持部２０は、端末装置１Ａが載置された場合に端末装置１Ａを背面及び底面から支持する。第１アーム２２Ａは、土台部２１から略垂直に延出し、延出した端部には第１回動支持部２３Ａが設けられる。第１回動支持部２３Ａは、第２アーム２２Ｂを、矢印が示す方向に回動可能に支持する。第１回動支持部２３Ａによって支持されていない側の第２アーム２２Ｂの端には、第２回動支持部２３Ｂが設けられる。第２回動支持部２３Ｂは、第３アーム２２Ｃを矢印が示す方向に回動可能に支持する。そして、第３アーム２２Ｃは、端末保持部２０と略垂直に接続する。
【００７８】
このように、端末用スタンド２は、第１回動支持部２３Ａでの第２アーム２２Ｂの第１アーム２２Ａに対する角度及び第２回動支持部２３Ｂでの第３アーム２２Ｃの第２アーム２２Ｂに対する角度がそれぞれ調整可能に構成される。これにより、端末用スタンド２は、端末保持部２０の角度や高さを変更することができる。これについて、図１２を参照して説明する。
【００７９】
図１２（Ａ）は、端末保持部２０が土台部２１に対してなす角度（単に「傾き角θ」とも呼ぶ。）を鈍角に設定した場合の端末用スタンド２を示し、図１２（Ｂ）は、傾き角θを鋭角に設定した場合の端末用スタンド２を示す。
【００８０】
図１２（Ａ）に示すように、第１アーム２２Ａと第２アーム２２Ｂとを略同一直線上にして第３アーム２２Ｃを第２アーム２２Ｂに対して略垂直にした場合、傾き角θは、鈍角となる。一方、図１２（Ａ）の状態から、第２アーム２２Ｂを第１アーム２２Ａに対して右回りに回動させた場合、端末用スタンド２は図１２（Ｂ）の状態となり、傾き角θは鋭角となる。また、図１２（Ｂ）の状態から、第２アーム２２Ｂをさらに右回りに回動させ、かつ、第３アーム２２Ｃを左回りに回動させた場合、端末保持部２０は、傾き角θを保ったまま土台部２１に対する高さが低くなる。このように、端末用スタンド２は、端末装置１Ａを保持しつつ、傾き角θや土台部２１に対する端末装置１Ａの高さを好適に変更することができる。
【００８１】
［傾き角に基づく通信可否の変化］
次に、傾き角θの変化に基づく無線通信アンテナ１０３の通信可否の変化について、図１３及び図１４を参照して説明する。概略的には、ディスプレイ１０１が他者に覗き見されやすい傾き角θでは、無線通信アンテナ１０３が通信可能範囲ＲＣ外となり、ディスプレイ１０１が他者に覗き見されにくい傾き角θでは、無線通信アンテナ１０３が通信可能範囲ＲＣ内となる。
【００８２】
図１３は、傾き角θを鈍角に設定した状態で端末装置１Ａを保持した端末用スタンド２を示す。図１４は、傾き角θを鋭角に設定した状態で端末装置１Ａを保持した端末用スタンド２を示す。
【００８３】
図１３及び図１４に示す通信可能範囲ＲＣは、近接無線アンテナシート３の近傍に形成され、傾き角θによって無線通信アンテナ１０３が通信可能範囲ＲＣ内になったり通信可能範囲ＲＣ外になったりする範囲に存在する。例えば、通信可能範囲ＲＣは、傾き角θが所定角度（「角度θｔｈ」とも呼ぶ。）以上の場合に、無線通信アンテナ１０３が通信可能範囲ＲＣ外になるような範囲となっている。ここで、上述の角度θｔｈは、ディスプレイ１０１が入力者以外の者に覗き見されやすい状態では傾き角θが角度θｔｈ以上となり、ディスプレイ１０１が覗き見されにくい状態では傾き角θが角度θｔｈ未満となるように設定される。この場合、角度θｔｈに関する上述の条件が満たされるように、近接無線アンテナシート３の出力調整による通信可能範囲ＲＣの調整、端末用スタンド２の設置位置の調整、及び端末装置１Ａが端末保持部２０に保持される高さの調整等が行われる。
【００８４】
図１３の例では、端末装置１Ａは、近接無線アンテナシート３に対して垂直に近い状態で保持され、入力者以外の者にディスプレイ１０１の表示画面が覗き見されやすい状態になっている。この場合、傾き角θは角度θｔｈ以上になり、無線通信アンテナ１０３が通信可能範囲ＲＣの外に存在する。従って、この場合、端末装置１Ａの通信可能判定手段１４１は、通信に必要な十分な電磁波が無線通信アンテナ１０３に届いていないことから、無線通信アンテナ１０３が通信可能範囲ＲＣ外であると判定する。そして、端末装置１Ａの表示制御手段１４２は、この場合、コンテンツ非表示画面をディスプレイ１０１に表示させる（図７のステップＳ１１１参照）。
【００８５】
一方、図１４の例では、端末装置１Ａは、水平に近い状態で保持され、操作者以外の者がディスプレイ１０１の表示画面を覗き見しにくい状態になっている。この場合、傾き角θは角度θｔｈ未満となり、無線通信アンテナ１０３が通信可能範囲ＲＣ内に存在する。この場合、端末装置１Ａの通信可能判定手段１４１は、通信に必要な十分な電磁波が無線通信アンテナ１０３に届いていることから、無線通信アンテナ１０３が通信可能範囲ＲＣ内であると判定する。そして、表示制御手段１４２は、この場合、コンテンツ表示画面をディスプレイ１０１に表示させる（図７のステップＳ１０７参照）。
【００８６】
このように、傾き角θが角度θｔｈ以上の場合に、貸出コンテンツを非表示にすることで、端末装置１Ａは、著作権法上他人に見せるのが好ましくない貸出コンテンツについて、他人に覗き見されるのを好適に抑制することができる。
【００８７】
［第２実施形態のコンテンツ再生システムによる作用効果］
第２実施形態の表示システムによれば、端末装置１Ａは、近接無線アンテナシート３上で端末用スタンド２に保持され、近接無線アンテナシート３の通信可能範囲ＲＣ外では、コンテンツ非表示画面を表示する。これにより、端末装置１Ａは、他者に見られる可能性がある位置で貸出コンテンツを表示するのを防ぎ、著作権法上他人に見せるのが好ましくない貸出コンテンツについて、他人に覗き見されるのを好適に抑制することができる。
【００８８】
また、端末装置１Ａの表示がユーザ以外の者に見られにくい状態となる傾き角θが角度θｔｈ未満の場合、無線通信アンテナ１０３が近接無線アンテナシート３の通信可能範囲ＲＣ内となる。一方、端末装置１Ａの表示が入力者以外の者に見られやすい状態となる傾き角θが角度θｔｈ以上の場合、無線通信アンテナ１０３が近接無線アンテナシート３の通信可能範囲ＲＣ外となる。これにより、端末装置１Ａは、閲覧予約したユーザ以外の者に貸出コンテンツが見られやすい場合に、貸出コンテンツを非表示にし、覗き見を好適に抑制することができる。その他、第２実施形態の表示システムは、第１実施形態と同様の機能を実現することができる。
【符号の説明】
【００８９】
１、１Ａ…端末装置
２…端末用スタンド
３…近接無線アンテナシート
４…通信変換器
６…サーバ
７…ネットワークハブ
１０１…ディスプレイ
１０２…電源スイッチ
１０３…無線通信アンテナ
【図１】
2014027482.tif 000003
【図２】
2014027482.tif 000004
【図３】
2014027482.tif 000005
【図４】
2014027482.tif 000006
【図５】
2014027482.tif 000007
【図６】
2014027482.tif 000008
【図７】
2014027482.tif 000009
【図８】
2014027482.tif 000010
【図９】
2014027482.tif 000011
【図１０】
2014027482.tif 000012
【図１１】
2014027482.tif 000013
【図１２】
2014027482.tif 000014
【図１３】
2014027482.tif 000015
【図１４】
2014027482.tif 000016
【手続補正書】
【提出日】平成24年8月3日(2012.8.3)
【手続補正１】
【補正対象書類名】明細書
【補正対象項目名】００１７
【補正方法】変更
【補正の内容】
【００１７】
【図１】第１実施形態に係る表示システムの構成を示す。
【図２】端末装置の正面図及び側面図を示す。
【図３】端末装置の機能ブロック図である。
【図４】サーバ装置の機能ブロック図である。
【図５】近接無線アンテナシートの通信可能範囲内に存在する場合の端末装置を示す。
【図６】近接無線アンテナシートの通信可能範囲外に存在する場合の端末装置を示す。
【図７】端末装置及びサーバが実行する処理手順を示すフローチャートである。
【図８】閲覧予約リスト画面を表示した端末装置の正面図である。
【図９】（Ａ）コンテンツ表示画面を表示した端末装置の正面図である。（Ｂ）コンテンツ非表示画面を表示した端末装置の正面図である。
【図１０】第２実施形態に係る表示システムの構成を示す。
【図１１】端末用スタンドの側面図である。
【図１２】（Ａ）傾き角を大きく設定した場合の端末用スタンドを示す。（Ｂ）傾き角を小さく設定した場合の端末用スタンドを示す。
【図１３】傾き角を大きく設定した状態で端末装置を保持した端末用スタンドを示す。
【図１４】傾き角を小さく設定した状態で端末装置を保持した端末用スタンドを示す。
【手続補正２】
【補正対象書類名】明細書
【補正対象項目名】００７９
【補正方法】変更
【補正の内容】
【００７９】
図１２（Ａ）は、端末保持部２０が土台部２１に対してなす角度（単に「傾き角θ」とも呼ぶ。）を大きく設定した場合の端末用スタンド２を示し、図１２（Ｂ）は、傾き角θを小さく設定した場合の端末用スタンド２を示す。
【手続補正３】
【補正対象書類名】明細書
【補正対象項目名】００８０
【補正方法】変更
【補正の内容】
【００８０】
図１２（Ａ）に示すように、第１アーム２２Ａと第２アーム２２Ｂとを略同一直線上にして第３アーム２２Ｃを第２アーム２２Ｂに対して略垂直にした場合、傾き角θは、大きくなる。一方、図１２（Ａ）の状態から、第２アーム２２Ｂを第１アーム２２Ａに対して右回りに回動させた場合、端末用スタンド２は図１２（Ｂ）の状態となり、傾き角θは小さくなる。また、図１２（Ｂ）の状態から、第２アーム２２Ｂをさらに右回りに回動させ、かつ、第３アーム２２Ｃを左回りに回動させた場合、端末保持部２０は、傾き角θを保ったまま土台部２１に対する高さが低くなる。このように、端末用スタンド２は、端末装置１Ａを保持しつつ、傾き角θや土台部２１に対する端末装置１Ａの高さを好適に変更することができる。
【手続補正４】
【補正対象書類名】明細書
【補正対象項目名】００８２
【補正方法】変更
【補正の内容】
【００８２】
図１３は、傾き角θを大きく設定した状態で端末装置１Ａを保持した端末用スタンド２を示す。図１４は、傾き角θを小さく設定した状態で端末装置１Ａを保持した端末用スタンド２を示す。